(57)【要約】【課題】音声磁気が確実に聴覚障害者に向けて出射されるように工夫し、磁気音声ループシステムの活用を図ること。【解決手段】音声磁気ループ１（のループケーブル１２）を、コンサートホールなどの会場の壁面Ｗや欄干４などを利用して、床面に対して垂直向に設置し、あるいは聴覚障害者Ｐの側方側又は／及び前方側から音声磁気Ｍが出射される環境を形成して、聴覚障害者Ｐがいかなる方向を向いた場合でも、補聴器２を通して、反響のない良質の音声を受信できるようにする。【選択図】図２
2004266391.tif 000002
【特許請求の範囲】
【請求項１】
音声磁気ループのループケーブルを、床面に対して垂直方向に設置することを特徴とする音声磁気ループの設置方法。
【請求項２】
聴覚障害者の側方側又は／及び前方側から音声磁気が出射されてくるように前記音声磁気ループを設置することを特徴とする音声磁気ループの設置方法。
【請求項３】
前記聴覚障害者が着席する座席近傍の壁面に前記音声磁気ループを設置することを特徴とする請求項１記載の音声磁気ループの設置方法。
【請求項４】
前記聴覚障害者が着席する座席近傍の欄干に前記音声磁気ループを設置することを特徴とする請求項１記載の音声磁気ループの設置方法。
【発明の詳細な説明】
【０００１】
【発明の属する技術分野】
本発明は、コンサートホールや会議室など多くの人が集まる場所で聴覚障害者のために一般に利用されている音声磁気ループ（磁気誘導ループ）の設置方法に関する。
【０００２】
【従来の技術】
一般に、補聴器は、音声信号を増幅、調整することにより、聴覚障害者が、より快適に音声を聴取できるようにする。しかし、補聴器は、コンサートホールや会議室など多くの人が集まる場所では、反響が多くなるため、補聴効果が少なくなってしまうことが多い。そこで、聴覚障害者も参集するコンサートホールや会議室などの施設には、音声磁気ループが利用されることが多い。
【０００３】
この音声磁気ループは、コイル状のループケーブルと差し込み（プラグ）とからなるターンループで、前記差し込み（プラグ）は磁気誘導アンプに接続して、前記ループケーブルはコンサートホールなどの集会場または該集会場の特定領域を取り囲むように床面に敷設して、使用する。聴覚障害者は、補聴器の設定を変更し、耳に装着して、そのループの内側に入ると、磁気誘導アンプから出力される音声のみが、補聴器を通して聞こえるようになるので、集会場などでも反響が入らずに音声を聞くことができる。
【０００４】
音声磁気ループの設置方法には、移動用磁気ループを使用する方法と、磁気ループを施設に埋設する方法があるが、いずれの場合も、床面に音声磁気ループを敷設する場合が一般的である。そうすることにより、聴覚障害者が、会場内のどの場所にいても、補聴器で、反響が入らずに、音声を聞くことができる。
【０００５】
その他、音声磁気ループを利用する補聴システムは、交通道路の交差点などでも、聴覚障害者に対する案内として利用されている。この場合、磁気ループは、道路の地面に埋め込まれる等して使用されている。
【０００６】
ここで、非特許文献１には、現在利用されている磁気ループ補聴システムの概要が示されている。また、非特許文献２には、磁気ループを会議室などの床面に埋設して使用する方法が記載され、非特許文献３には、音声磁気ループシステムを交通道路に応用した例が開示されている。
【０００７】
【非特許文献１】
原崎悦子、磁気ループ、磁気による補聴システム、［ｏｎｌｉｎｅ］、キリスト教視聴覚センター（ＡＶＡＣＯ）、［平成１４年２月１８日検索］、インターネットＵＲＬ：ｈｔｔｐ：／／ｗｗｗ．ｆａｓｔｎｅｔ．ｎｅ．ｊｐ／ａｖａｃｏ／ＡＶＡＣＯ／ｓｕｐｐｏｒｔｉｎｆｏ．／ｊｉｋｉ．ｈｔｍｌ
【非特許文献２】
株式会社アシストホームページ、施設用機器、［ｏｎｌｉｎｅ］、［平成１５年２月１８日］、インターネット、ＵＲＬ：ｈｔｔｐ：／／ｗｗｗ３．ｏｃｎ．ｎｅ．ｊｐ／￣ａｓｓｉｓｔｈｐ／ｓｈｉｓｅｔｕ．ｈｔｍｌ
【非特許文献３】
ＨＡＭＭＹＯロード、磁気ループ、［ｏｎｌｉｎｅ］、２００３年２月１２日、日本道路株式会社ｗｅｂページ、［平成１５年２月１８日検索］、インターネットＵＲＬ：ｈｔｔｐ：／／ｗｗｗ．ｎｉｐｐｏｎｒｏａｄ．ｃｏ．ｊｐ／ｌｉｎｅｕｐ／ｂｆｒｅｅ／０１２．ｈｔｍ
【０００８】
【発明が解決しようとする課題】
しかしながら、従来の音声磁気ループの設置方法には、以下のような解決すべき技術的課題があった。
【０００９】
まず、移動用音声磁気ループを使用する場合、会場の床面に、会場を取り囲むように敷設しなければならないので、特に、コンサートホールや広い会場の場合、長い音声磁気ループが必要となる。そのため、設置の際や、音声磁気ループの持ち運びの際に、多大な労力がかかった。また、音声磁気ループを長くすると、磁気誘導アンプの出力も上げる必要があり、消費電力が大きくなった。
【００１０】
また、移動用磁気ループをコンサートホールなどの床面に敷設した場合、会場の床面を一周するように音声磁気ループが置かれるので、会場を通行する人々に音声磁気ループを踏まれても痛まないように、被覆が厚い、しっかりしたループを用意しなければならず、養生作業にも手間がかかっていた。このために、ループの設置作業や運搬作業に多大な労力がかかった。また、従来の床面敷設方式では、長い磁気ループが必要となり、また、被覆の厚い音声磁気ループを使うことになるため、磁気誘導アンプの出力を上げる必要があり、消費電力が大きかった。
【００１１】
また、コンサートホールなどは、階段状の座席や音響用の設備などが設置されているため、床面が平らでない場合が多く、移動用音声磁気ループを床面に設置し難いところが多いという問題もあった。
【００１２】
そして、音声磁気ループの敷設領域が広いと、ループの内側のどの場所にいるかによって、補聴器の聞こえ方の程度に差が生じてしまう場合があった。一般に、ループの中心部付近は磁気が弱くなり、ループの辺縁部付近は磁気が強くなる傾向がある。このため、ループの中心部付近にいる聴覚障害者のために、磁気誘導アンプの出力を上げる必要があり、この場合には、逆に、ループの辺縁部付近にいる聴覚障害者には、補聴器を通した音声が、歪んで聞こえる場合があった。
【００１３】
さらに、会議室などが複数あるような施設の場合、磁気誘導アンプの出力を上げすぎると、階下の部屋に設置された磁気ループに影響を与え、妨害しあう場合があった。
【００１４】
そこで、本発明は、磁気音声ループの新しい設置方法を提案することにより、磁気音声ループの設置作業の簡便化、補聴効果の向上を図るとともに、磁気音声ループをより短く、軽量化して、磁気音声ループ補聴システムの普及を促進することを主な目的とする。
【００１５】
【課題を解決するための手段】
上記技術的課題を解決するため、本願では、次の手段を採用する。
【００１６】
音声磁気ループを、床面に敷設するのではなく（水平方向に設置するのではなく）、音声磁気ループが、聴覚障害者が座る座席へ向けて開口するように、床面に対して垂直方向に設置し、あるいは磁気ループから出される音声磁気が聴覚障害者の側方側又は／及び前方側から出射されてくるように設置するようにした。なお、音声磁気ループを設置する高さは、聴覚障害者が座っている場合だけでなく、立っている場合も想定し、いずれの場合でも聴覚障害者の側頭部に向けて音声磁気が出射されるように工夫することが望ましい。
【００１７】
移動用の音声磁気ループの場合は、コンサートホール等の会場の壁面に、フックなどの止め具のようなもので掛けて設置してもよいし、座席近傍の欄干を利用してもよい。また、会場の壁面に止め具など磁気ループを固定するものがない場合や壁面への設置ができない事情がある場合には、座席脇に衝立てや支柱を置き、それを利用して音声磁気ループを設置すればよい。このような設置方法によれば、音声磁気ループの必要な長さが、従来の床面設置方式よりずっと短くて済み、設置作業や運搬作業も容易になる。
【００１８】
また、音声磁気ループを壁面に設置した結果、床面にループを敷かなくてもよいので、通行人に踏みつけられて音声磁気ループが痛むということがなくなる。したがって、音声磁気ループを厚く被覆されたものを採用する必要がなくなり、短くて軽い音声磁気ループで、必要な領域に充分に音声磁気を出射でき、磁気誘導アンプの出力もより小さいもので済むようになるので、消費電力も削減できる。
【００１９】
また、コンサートホールの一壁面に音声磁気ループを設置し、そこから磁気音声の届く範囲を聴覚障害者の専用の座席エリアとすることによって、そのエリア内では、どの場所でも均質に、反響のない音声を、聴取できるという利点がある。特に、補聴器は、磁気音声と補聴器の内部コイルの向きとの関係では、聴覚障害者の側頭部の方向に向けられた音声磁気信号をもっとも効率よく受け取ることができる場合が多いので、音声磁気ループを、本発明のように設置することで、磁気誘導アンプの出力を下げても、音声を充分に聴取することができるようになる。
【００２０】
その他、以上のような手段は、標識設置用柱や電信柱などを利用することによって、交差点などに音声磁気ループを設置する方法として有効である。
【００２１】
【発明の実施の形態】
以下、本発明に係る音声磁気ループの設置方法の好適な実施形態について、添付図面を参照にしながら説明する。
【００２２】
まず、図１は、本発明で利用できる典型的な音声磁気ループの形態を示す外観斜視図である。一般に、音声磁気ループ１は、差し込み（プラグ）１１と、コイル状に束ねられたループケーブル１２と、からなる。本発明では、前記差し込み１１を図示しない磁気誘導アンプに接続し、ループケーブル１２部分を壁面や欄干等に垂直方向に掛着等して利用する。
【００２３】
磁気誘導アンプから出力される音声信号は、差し込み１１からループケーブル１２に伝達され、側方側（即ち、水平方向側又は床面に対して平行方向側）に向けて開口するようにループを形成しているケーブル１２から音声磁気Ｍが側方に出射される。音声磁気ループ１を本発明に係る設置方法で用いると、従来の床面敷設方式と比べて、ケーブル１２が短いもので間に合い、磁気誘導アンプも、従来のものと比べ出力の小さいものでよい。また、床面敷設時とは異なって、ケーブル１２を保護するために被覆を厚くする必要もない。
【００２４】
図２は、床面に対して垂直方向に設置された音声磁気ループ１から出射された音声磁気Ｍが、聴覚障害者Ｐの側頭部Ｓへ向けて出射され、補聴器２に受信される様子を示した模式図である。より詳しくは、ループ形状を形成するように、床面に対して垂直方向に設置されたループケーブル１２から音声磁気Ｍが側方に向けて出射され、聴覚障害者Ｐが装着している補聴器２の内部の受信コイル２１に音声磁気Ｍが届く様子を示している。なお、聴覚障害者Ｐの側方側に向かう音声磁気Ｍが得られるようにする構成以外に、聴覚障害者Ｐの前方側から音声磁気Ｍが出射されてくるように、音声磁気ループ１を設置してもよく、更には、聴覚障害者Ｐの側方側と前方側の両方に向けて音声磁気Ｍが出射されてくるように、音声磁気ループ１を設置してもよい。
【００２５】
音声磁気Ｍと補聴器２に内蔵される受信コイル２１の向きは、補聴器２の機種等によって、側方向き、前向き、下向き等様々であるが、聴覚障害者Ｐの側頭部Ｓに向けて音声磁気Ｍが出射される環境や聴覚障害者Ｐの前方側から音声磁気Ｍが出射されてくる環境をつくることによって、更にはこれらの二つの環境を同時につくることによって、聴覚障害者Ｐがどの方向を向いた場合でも、良質の音声をより確実に受信できるようになるという効果を得ることができる。
【００２６】
図３は、コンサートホールや会議室などの会場において、聴覚障害者Ｐが着席する座席近傍の壁面Ｗに、止め具３を取り付けて、該止め具３に、移動用の音声磁気ループ１を掛けて設置した実施形態の様子を示した図である。なお、壁面Ｗは、聴覚障害者Ｐの側方側の壁面に限定されず、前方側その他の壁面であってもよい。
【００２７】
止め具３は、例えば、ハンガーフックなどの形態を備えるものを採用できる。この種の止め具３は、一般に、壁面Ｗに止め具を固定するための固定部３１と、音声磁気ループ１を掛けるためのフック部３２からなる。止め具３は、壁面Ｗにあらかじめ取り付けてあるものも含めて、音声磁気ループ１を掛けて、側方に開口するようにループ形態を形成できるものであればよい。
【００２８】
また、会場の壁面Ｗに構造上備わっている凹凸等を利用して、音声磁気ループ１を掛けて使用してもよいし、釘、画鋲等を使ってフック部分３２同様の役割を果たす部分を作ったり、テープ等を利用して音声磁気ループ１を壁面Ｗに固定して設置したりしてもよい。これらの方法によって、音声磁気ループ１から側方に向けて音声磁気Ｍを確実に出射することができる。
【００２９】
図４は、コンサートホール等で聴覚障害者Ｐが着席する座席の近傍に欄干４が設けられている場合において、この欄干４を利用して、音声磁気ループ１を設置した実施形態の様子を示す図である。
【００３０】
本実施形態においても、音声磁気ループ１は、コンサートホールなどの座席に着席した聴覚障害者Ｐの側頭部Ｓに向けて、音声磁気Ｍが確実に出射されるように設置できる。
【００３１】
欄干４は、一般に、手摺り４１と、該手摺り４１を支持する支柱４２と、から形成されている。このような形態の欄干４がある場合では、音声磁気ループ１を欄干４のいずれかの箇所に直接掛着する方法や、手摺り４１や支柱４２に、止め具３を取り付けて、そのフック部分３２に音声磁気ループ１を掛ける方法等を採用できる。
【００３２】
また、手摺り４１に音声磁気ループ１を巻き付けて固定したり、手摺り４１にテープなどで貼り付けたり等、どのような方法でもかまわない。音声磁気ループ１を、欄干４を利用して設置することによって、コンサートホールの座席が階段状になっているような場合や座席が壁面Ｗから離れている場合でも、聴覚障害者Ｐにより近接した位置から音声磁気Ｍを出射できるという利点がある。
【００３３】
図５は、衝立て（支柱）５を利用して、移動用音声磁気ループ１を設置した実施形態の様子を示す図である。コンサートホールや会議室などに、音声磁気ループ１を掛けるのに都合の良い壁面Ｗや欄干４などがない場合においては、聴覚障害者Ｐの近傍に、例えば、図５に示すような形態の衝立て５を立て、移動用音声磁気ループ１を設置する方法を採用できる。
【００３４】
衝立て５は、音声磁気ループ１を掛けるためのフック部５１と、音声磁気ループ１を掛けても倒れない脚部５２と、を備えるようなものが好適である。設置の際には、複数の衝立て５を用意して所定間隔を置いて並設して、それぞれの衝立て５のフック部５１に音声磁気ループ１を掛けてループ（輪）を形成し、音声磁気ループ１から側方に向けて音声磁気Ｍが出射されるようにする。なお、棒状の衝立て５に止め具３等を取り付けて、音声磁気ループ１を掛けることができるようにしてもよいし、テープ等を利用して衝立て５等に音声磁気ループ１を固定してもよい。
【００３５】
衝立て５の高さは、聴覚障害者Ｐが、立っている場合でも、音声磁気Ｍが、受信できるように、聴覚障害者Ｐの身長程度の高さくらいであることが望ましい。
【００３６】
図６は、コンサートホールの平面図である。音声磁気ループ１を設置する場所は、この図６に示すように、会場の一領域に集中的に音声磁気Ｍが出射されるような設置方法でもよいし、複数の領域に音声磁気Ｍが出射されるような設置方法でもよい。図６の場合は、コンサートホールの全座席のうち、座席エリアＡ、座席エリアＢの領域に向けて、音声磁気Ｍが届くように音声磁気ループ１を壁面Ｗ等に設置している。この場合、座席エリアＡ、座席エリアＢの領域に向けて、ステージ側からも音声磁気Ｍが出射されるようにしてもよい。
【００３７】
これらの座席エリアＡ，Ｂを、聴覚障害者Ｐ専用の座席スペースとすることにより、床面に音声磁気ループ１を敷設する従来の設置方式に比して、より少ない労力や低コストで、より聴き取り効果が上がるように、音声磁気ループ１を設置することができる。音声磁気ループ１を複数設置した場合でも、磁気誘導アンプの出力が小さくできるので、音声磁気Ｍが、お互いに妨害しあうことはない。
【００３８】
コンサートホール等の会場の構造や都合に応じて、壁面Ｗ、欄干４、支柱５などを利用して音声磁気ループ１を設置し、音声磁気Ｍが、少なくとも聴覚障害者Ｐの側頭部Ｓに向けて有効に出射されるようにし、加えて、コンサートホール等の側壁面、前壁面、後壁面、天井面等をも利用して音声磁気ループ１を設置するようにすれば、聴覚障害者Ｐの姿勢にかかわらず、即ち聴覚障害者Ｐ（の補聴器２の受信コイル２１）がどの方向を向いても、聴覚障害者Ｐが良質な音声を聴き取れるようになる。
【００３９】
音声磁気ループ１を二方向（左右方向）または三方向（左右方向と垂直方向）に設置する方法も採用することもできる。即ち、聴覚障害者Ｐの側方壁および背面壁に音声磁気ループ１を設置し、さらには、音声磁気ループを床面に敷設することにより、三次元方向から音声磁気Ｍを受けることができるように設置することも可能である。これにより、補聴器３の向きに関わらず、音声磁気Ｍをより確実に受け取りやすくなる。
【００４０】
【発明の効果】
本発明に係る音声磁気ループの設置方法によれば、短いループでも音声磁気を効果的に聴覚障害者（の補聴器）に向けて出射することができ、また、消費電力を節約でき、更には、設置、運搬作業などの労力を低減できる。同方法によれば、会場の壁面や欄干を利用して設置できるため、従来の床面敷設方式のような養生作業の必要もない。
【００４１】
したがって、本発明は、移動式音声磁気ループの普及の妨げであった運搬や設置の労力およびコストを軽減することができるため、音声磁気ループ補聴システムの普及に効果を発揮する。
【図面の簡単な説明】
【図１】本発明で利用できる典型的な音声磁気ループ（１）の形態を示す外観斜視図。
【図２】音声磁気ループ（１）から聴覚障害者（Ｐ）の側頭部（Ｓ）に向けて、音声磁気（Ｍ）が出射されている様子を示す模式図。
【図３】音声磁気ループ（１）を、止め具（３）を利用して壁面（Ｗ）に設置した実施形態の様子を示す図。
【図４】音声磁気ループ（１）を、欄干（４）を利用して設置した実施形態の様子を示す図。
【図５】音声磁気ループ（１）を、衝立て（５）を利用して設置した実施形態の様子を示す図。
【図６】コンサートホールに音声磁気ループ（１）を設置したときの会場内に音声磁気（Ｍ）の出射される方向および範囲を示した模式図。
【符号の説明】
１  音声磁気ループ
２  補聴器
３  止め具
４  欄干
５  衝立て（支柱）
Ｍ  音声磁気
Ｐ  聴覚障害者
Ｓ  （聴覚障害者の）側頭部
Ｗ  壁面
【図１】
2004266391.tif 000003
【図２】
2004266391.tif 000004
【図３】
2004266391.tif 000005
【図４】
2004266391.tif 000006
【図５】
2004266391.tif 000007
【図６】
2004266391.tif 000008